(57)【特許請求の範囲】
【請求項１】
セルラ電話システムへの一部の加入者のみが使用できる基地局のサブセットをもつ前記セルラ電話システムを動作する方法であって、
各移動局へ、該移動局にサービスしている基地局に隣り合う基地局のビーコン識別子のリストを構成するための隣り合う基地局のデータを、個々の移動局に専用の制御チャンネルにおいて送るステップであって、ただしここで該ビーコン識別子のリストは移動局の加入者にとってサブセットが使用できるときのみ、前記サブセットのメンバを含む、ステップと、
複数の基地局についての信号報告を移動局から受取るステップと、
前記信号報告と、基地局がサブセットのメンバであるか否かとに基いて移動局が使用する基地局を選択することによってハンドオーバを制御するステップとを含み、
該ハンドオーバは、基地局についての前記信号報告が、移動局とサブセットの何れかのメンバとの間で信頼できる通信を行うことができないことを示さない限り、基地局のサブセットへのアクセスが許されている移動局が、サブセットの一部を形成していない基地局にハンドオーバされないように制御される方法。
【請求項２】
送られたデータが、前記サブセット内の基地局のビーコン識別子を含むビーコン識別子のリストの生成のために構成されている請求項１記載の方法。
【請求項３】
前記基地局が、サブセットのメンバでない基地局によってサービスされているセル内に全体的に位置付けられたセルにサービスする請求項２記載の方法。
【請求項４】
サブセットの基地局が、加入者がアクセスする私設ネットワークの基地局を含む請求項１ないし３の何れか1項記載の方法。
【請求項５】
サブセットの基地局が、サービスしている基地局によって使用されるものとは異なる無線技術を使用する請求項１ないし３の何れか１項記載の方法。
【請求項６】
基地局のサブセット内の第１の基地局とサブセット内にない第２の基地局との間の隣り合う関係のレコードを維持するステップと、
移動局が公衆ネットワークの前記第１の基地局によってサービスされるセル内に位置するとき、移動局の加入者がサブセットの基地局とアクセスを認可する関係をもつか否かを判断するステップと、
移動局の加入者がサブセットの基地局と前記アクセスを認可する関係をもつときに、前記専用制御チャンネルにおいて第２の基地局のビーコン識別子を識別するデータを送るステップとを含む請求項１ないし５の何れか１項記載の方法。
【請求項７】
隣り合う基地局のデータが、リストが送られることになる移動局がサブセット内の基地局へアクセスしないときに第１のビーコン識別子のリストを生成し；第１のビーコン識別子のリストに類似しているが、リストが送信されることになる移動局がサブセット内の基地局へアクセスするときにサブセット内の基地局のビーコン識別子を含むように拡張される第２のビーコン識別子のリストを生成するために構成されている請求項１ないし６の何れか１項記載の方法。
【請求項８】
サブセット内の基地局についての信号報告が、サブセット内の基地局を使用して移動局と信頼できる通信を行うことができることを示すときに、サブセット内にない基地局によって現在サービスされている移動局がサブセットの基地局へのハンドオーバを開始する請求項１ないし７の何れか１項記載の方法。
【請求項９】
信号報告が、サブセット内の基地局を使用して信頼できる通信を継続できないことを示すときのみ、サブセットの基地局によって現在サービスされている移動局がサブセット内にない基地局へのハンドオーバを開始する請求項１ないし８の何れか１項記載の方法。
【請求項１０】
請求項１ないし９の何れか１項記載の方法を実行するように構成されているセルラ移動電話システム。
【請求項１１】
１つ以上の制御装置の制御のもとで複数の基地局を含むセルラ移動電話システムであって、基地局制御手段が、
基地局によって現在サービスされている１つ以上の移動局の各々のために、移動局が、移動局にサービスしている基地局と隣り合う基地局のビーコン識別子のリストを構成することを可能にするデータを生成する手段と、
基地局の所定のサブセットが、移動局の加入者によって使用できるか否かを識別し、使用できるときのみ、このような基地局のビーコン識別子を含める手段と、
個々の移動局に専用の制御チャンネルにおいて前記データを送る送信手段と、
移動局から複数の基地局についての信号報告を受取る手段と、
前記信号報告と、基地局がサブセットのメンバであるか否かとに基いて移動局によって使用する基地局を選択することによってハンドオーバを制御する手段とを含み；該ハンドオーバは、基地局についての信号報告が、移動局とサブセットの何れかのメンバとの間で信頼できる通信を行うことができないことを示さない限り、基地局のサブセットへのアクセスが許可された移動局が、サブセットの一部を形成していない基地局にハンドオーバされないように制御されるセルラ移動電話システム。
【請求項１２】
送られるデータが、前記サブセット内の基地局のビーコン識別子を含むビーコン識別子のリストを含む請求項１１記載のシステム。
【請求項１３】
前記基地局が、サブセットのメンバでない基地局によってサービスされているセル内に全体的に位置付けられたセルにサービスする請求項１２記載のシステム。
【請求項１４】
サブセットの基地局が、所定の加入者がアクセスする私設ネットワークの基地局を含む請求項１１ないし１３の何れか１項記載のシステム。
【請求項１５】
サブセットの基地局が、サービスしている基地局によって使用されるものとは異なる無線技術を使用する請求項１１ないし１３の何れか１項記載のシステム。
【請求項１６】
基地局のサブセット内の第１の基地局とサブセット内にない第２の基地局との間の隣り合う関係のレコードを維持する手段と；
移動局が公衆ネットワークの前記第１の基地局によってサービスされるセル内に位置付けられているとき、移動局の加入者がサブセットの基地局とアクセス認可関係をもつか否かを判断する手段と；
移動局の加入者がサブセットの基地局との前記アクセス認可関係をもつとき前記専用制御チャンネルにおいて第２の基地局のビーコン識別子を識別するデータを送る手段とを含む請求項１１ないし１５の何れか１項記載のシステム。
【請求項１７】
リストが送られることになる移動局がサブセット内の基地局にアクセスしないとき、第１のビーコン識別子のリストを生成し、第１のビーコン識別子のリストに類似しているが、リストが送られることになる移動局がサブセット内の基地局にアクセスするときサブセット内の基地局のビーコン識別子を含むように拡張される第２のビーコン識別子のリストを生成する手段を含む請求項１１ないし１６の何れか１項記載のシステム。
【請求項１８】
サブセット内の基地局についての信号報告が、サブセット内の基地局を使用して移動局と信頼できる通信を行うことができることを示すとき、サブセット内にない基地局によって現在サービスされている移動局がサブセット内にある基地局へのハンドオーバを開始するように構成されている請求項１１ないし１７の何れか１項記載のシステム。
【請求項１９】
信号報告が、サブセット内の基地局を使用して信頼できる通信を継続できないことを示すときのみ、ハンドオーバ手段が、サブセットの基地局によって現在サービスされている移動局がサブセット内にない基地局へのハンドオーバを開始するように構成されている請求項１１ないし１８の何れか１項記載のシステム。
【発明の詳細な説明】
【０００１】
発明の属する技術分野
本発明は、加入者と第２のネットワークとの間の関係に基いて第１のセルラ電話ネットワーク内で送られる隣り合う基地局の情報を適合させることに関する。
【０００２】
従来の技術
本発明は、ＧＳＭ（Global System for Mobile communications）基準（規格）を参照して記載することにするが、その理由は、当業者はＧＳＭ基準に精通しているので、本発明にしたがってシステムをどのように実行するかを容易に理解できるからである。さらに、従来のＧＳＭの詳細は、文献（例えば、Mouly,M. et al, “The GSM System for Mobile Communications”, ISBN 2-9507190-0-7）から容易に得ることができる。しかしながら、本発明は種々のＧＳＭのみだけでなく、他のセルラ移動電話システムに応用することができる。したがって、ＧＳＭ内で特定の意味をもつ用語を、ＧＳＭシステムに求められる保護の範囲を制限すると解釈すべきではない。
【０００３】
ＧＳＭは、同じ規制当局によって適用される領域内において各公衆の地上移動ネットワークを利用できる複数のサービスプロバイダを提供する。一般的に規制当局とは国ごとのＰＴＴ（Post, Telephone and Telegraph）、したがって郵便および電気通信当局である。
【０００４】
同一領域内における公衆地上移動ネットワーク間のローミングは、サービスプロバイダによって用意することができる。加入者は２つのネットワーク間でローミングすることができ、したがって２つの使用可能なネットワーク間で選択されることが必要である。加入者の移動局は全周波数を走査し、最も強い信号をもつネットワークも登録することができる。これは不都合なことに、時間がかかり、かつ非常に電力需要が高い。したがって、バッテリ、GSM900の寿命を最大にするために、段階１において、隣り合う基地局のビーコン識別子のリストを送るサービスしている基地局の動作を調整し、移動局はこれらの識別子のみを走査する。このアプローチは、サービスプロバイダの観点からすると最適ではなく、その理由は例えば加入者のホームネットワークによって用意された有効範囲内で通信不可能になったために別のネットワークへロームすると、加入者が移動局にホームネットワークに登録するようにマニュアルで命令し、加入者が現在のネットワークの有効範囲内の通信不可能な領域に入るか、または移動局をオフにスイッチして、再びオンにスイッチするまでホームネットワークへ戻らないからである。
【０００５】
これは、ホームネットワークが私設ネットワークであり、ホームネットワーク上でユーザが追加のサービスまたは減額した呼課金を利用できるときはとくに望ましくない。私設ネットワークには国際特許出願第WO98/03002号に記載されている単一の基地局を含んでもよい。第WO98/03002号に記載されたシステムにおいて、（例えばＤＥＣＴおよびＧＳＭ基準において動作可能である）デュアルモードのコードレス／セルラ電話が到来呼を受けると、到来呼は最初にコードレス機能と関係する固定電話ラインへ方向付けられ、コードレス基地局がハンドセットの存在を検出できないときはハンドセットのセルラ識別子に迂回される。しかしながら、呼の進行中にハンドセットがコードレス基地局の範囲へ入ったり、出たりするとき、呼は、この呼が開始されたシステム上で継続するか、または無線接触がこのシステム上で失われるときは切れてしまう。
【０００６】
国際特許明細書第WO94/06220号では、補助ネットワークの基地局が専用の周波数範囲が主ネットワークの基地局とは異なるシステムを記載している。補助ネットワークへアクセスする移動局は、これらの周波数を走査し、このような基地局を使用可能であるときに使用するようにされている。しかしながら、既に記載したように、これは電力需要が非常に高く、かつ時間がかかる。さらにこのシステムでは、補助ネットワークと主ネットワークとが別の周波数範囲上で動作することが必要である。このシステムでは両範囲で動作することができる専用の移動ユニットが必要であり、有効周波数の再使用を除外している。例えば国際特許明細書第WO97/14261号では、一部のバンドと全般的に使用できない領域において、シングルバンドおよびマルチバンドの移動ユニットに別個のハンドオーバ構成を用意したシステムを記載している。
【０００７】
発明が解決しようとする課題
本発明の第１の態様にしたがって、一部の加入者のみが使用できる基地局のサブセットをもつセルラ電話システムを動作する方法であって、
各移動局へ、該移動局がサービスしている基地局に隣り合う基地局についてのビーコン識別子のリストを構成するための隣り合う基地局のデータを送り、この送りは特定の移動局に向けて専用の制御チャンネルにおいて送ることであり、ただしここで該ビーコン識別子のリストは移動局の加入者にとってサブセットが使用できるときのみ、前記サブセットのメンバを含むものであるとし、
複数の基地局についての信号報告を移動局から受取ることと、
前記報告と、基地局がサブセットのメンバであるか否かとに基いて移動局によって使用するための基地局を選択することとを含み、
該ハンドオーバは、移動局についての信号報告が、移動局と何れかのサブセットのメンバとの間で信頼できる通信を行うことができないことを示さない限り、基地局のサブセットへのアクセスが許されている移動局が、サブセットの一部を形成していない基地局にハンドオーバされないように制御される方法を提供する。
【０００８】
ユーザの識別子にしたがって隣り合うリストを選択することによって、主ネットワークと同じ周波数バンドを使用する私設セルラネットワークを規定することができ、標準の移動ユニットは、システム間で自動的にスイッチできる私設ネットワークを使用する許可をもつが、選択的に私設ネットワークを使用する。
【０００９】
“ビーコン識別子（beacon identity）”とは、移動局が効果的に（meaningfully、有意性をもっての意）信号の強度／品質の測定を行うことができるビーコンの識別子を意味する。隣り合う基地局データ、それ自体には、ヘルツ、キロヘルツ、メガヘルツ、ラド／秒、などの実際の周波数、またはチャンネル番号の形態をとるビーコン識別子を含む。その代わりに、隣り合う基地局データには、例えば基地局識別子コードをビーコン周波数に関係付けるアルゴリズムによって、移動局がビーコン周波数を導き出すことができるデータを含んでもよい。同様に、ビーコン周波数のリストは、周波数のリストを事実上含む必要はない。むしろリストには、単に移動局がビーコンに同調するのに十分なデータ、例えばＣＤＭＡ（code division multiple access、符号分割多重アクセス）システムのスクランブリングコードのみを含まなければならない。
【００１０】
ＧＳＭにおいて、加入者が使用できるシステムの特徴は、多くの異なる移動局において使用できるＳＩＭ（subscriber identity module、加入者識別モジュール）によって管理されているので、ＳＩＭカードを使用しても、加入者が使用できるシステムの特徴と個々の移動局とはほぼ無関係であることを意味する。しかしながら、本発明はさらに、加入者の識別子が移動局の識別子に対応しているシステムにも応用できる。
【００１１】
サブセットの基地局は、１つのネットワークの基地局であるが、一方でサブセット内にない基地局は他のネットワークに属してもよい。これらのネットワークは物理的に別個であるか、または倫理的に別個である。論理的に別個のネットワークは、例えば、公衆地上移動ネットワークのオペレータによって与えられる仮想の私設ネットワークの場合に、同じハードウエアを使用することができる。
【００１２】
本発明は、私設セルラ移動電話ネットワークおよび公衆セルラ移動電話ネットワークの統合を補助するのに使用することができる。しかしながら本発明は、ローミング特権をもつ加入者の国境における公衆ネットワーク間のハンドオーバ、などを含む、多くの問題の解決に応用することができる。この場合に、ローミング特権をもつ加入者の移動局は、専用モードで国境に近づいているとき、隣り合う国のネットワークの基地局のビーコン識別子について知らされる。外国のネットワークへのハンドオーバは、（絶対値としてか、または外国のネットワークに関して相対的に測定されるとして）ホームネットワークにおける信号品質が、特定の閾値よりも低くなったときのみに行われる。ホームネットワークへ戻るハンドオーバは、ホームネットワーク上の信号品質が再びこの閾値よりも高くなったときに行われる。
【００１３】
送信されたデータは、前記サブセット内の基地局に対するビーコン識別子を含むビーコン識別子リストを生成するように構成されていることが好ましい。これは、加入者はサブセット内の基地局に対する特権にアクセスするときに行われる。アクセスの特権は、その場ごとに判断される。例えば、サブセット基地局におけるトラヒックレベルについて検討すると、基地局のトラヒック容量に到達したときは、サブセット内の基地局のビーコン識別子は送られていないことになる。
【００１４】
公衆ネットワークを構成しているサブセット内にない基地局よりも、私設ネットワークであるサブセット内の基地局によってサービスされるセル、すなわち有効領域は、相当に小さくてもよい。小さいセルでも、例えば、公衆ネットワークのセル内の大きい産業用地を全体的に取り扱うことができる。したがって、サブセットに属している“隣り合う”セルは、サブセットの一部を形成していないセル内に全体的に位置付けることができる。隣接する基地局の有効範囲の領域は、隣り合うかまたは重なり合っていてもよく、あるいは全体的に他方の領域に含まれていてもよい。
【００１５】
本発明を使用して、異なる無線技術、例えば頭辞語のＧＳＭ、ＰＣＮ（Personal Cellular Network）、ＵＭＴＳ（Universal Mobile Telecommunications System）、およびＤＥＣＴ（Digital European Cordless Telephony）によって知られている移動電話基準間で、適切に装備された移動電話のハンドオーバを、適切なアクセス権を使用して、可能にすることもできる。これらの技術が全てセルラである必要はないが（しかしながら、少なくとも１つはセルラでなければならない）：セルラネットワークが隣り合うリストに加えられる別のシステムのビーコン識別子をもつことのみが必要である。本発明は、例えば、基地局と関係する２つの用途をもつハンドセットにおけるセルラネットワークの隣り合うリストへコードレスの基地局を加えることによって、上述の国際特許出願第WO98/03002号において開示されたシステムに応用することができる。
【００１６】
本発明の方法は：
基地局のサブセット内の第１の基地局とサブセット内にない第２の基地局との間の隣り合う関係のレコードを維持することと、
移動基地局が第１のネットワークの前記第１の基地局内に位置するとき、移動局の加入者がサブセットの基地局とアクセスを認可する関係をもつか否かを判断することと、
移動局の加入者がサブセットの基地局と前記アクセスを認可する関係をもつときに、前記専用の制御チャンネルにおいて第２の基地局のビーコン識別子を識別するデータを送ることとを含むことが好ましい。
【００１７】
しかしながら、他の要素を考慮に入れてもよい。例えば、第２のネットワークにおけるトラヒックレベルについて検討すると、基地局のトラヒック容量が到達したときは、第２のネットワークの基地局のビーコン識別子は送られないことになる。
【００１８】
隣り合う基地局データから標準のビーコン識別子リストを生成し、このリスト適切な移動局は適切な移動局がサブセット内の基地局のビーコン識別子を含むように拡張される。その代わりに、サブセット内の基地局データを、他の移動局へ送られるサブセット内にない基地局データと置換してもよい。
【００１９】
本発明にしたがって送られるリストを受取る移動局は一般的に、送られたビーコン識別子に対する信号測度を報告する。これらの報告（レポート）はハンドオーバの制御に使用することができる。
【００２０】
サブセット内の基地局についての信号報告が、この基地局を使用して移動局との確実な通信を実行できることを示すときは、サブセット内にない基地局によって現在サービスされている移動局から、サブセット内の基地局へのハンドオーバを開始することができる。さもなければ、その代わりに、サブセット内の基地局によって現在サービスされている移動局からサブセット内にない基地局へのハンドオーバは、サブセット内にない基地局についての信号報告がサブセット内にある基地局についての信号報告よりも優れていても、サブセット内にある基地局の信号報告が、サブセット内にある基地局を使用して信頼できる通信を継続できないことが示すときのみ開始される。
【００２１】
本発明の第２の態様にしたがって、本発明の方法に応じて動作するように構成された固定セルラ移動電話装置をさらに提供する。
【００２２】
ここで本発明の実施形態を、例示的に、添付の図面を参照して記載することにする。
【００２３】
発明の実施の形態
図１を参照すると、公衆セルラ移動電話ネットワークは第１ないし第１３のセル１ａ、…、１ｍを含む。公衆ネットワークのセル１ａ、…、１ｍの各々は、各基地局２ａ、…、２ｍによってサービスされる。
【００２４】
本発明において、第１ないし第５のセル１ａ、…、１ｅは第１の位置領域を含み、第７、第８、第１０、および第１１のセル１ｇ、１ｈ、１ｊ、１ｋは第２の位置領域を含み、第６、第９、第１２、および第１３のセル１ｆ、１ｉ、１ｌ、１ｍは第３の位置領域を含む。
【００２５】
第１の位置領域のセル１ａ、…、１ｅは第１の基地局制御装置３ａによってサービスされる。第２の位置領域のセル１ｇ、１ｈ、１ｊ、１ｋは第２の基地局制御装置３ｂによってサービスされる。第３の位置領域のセル１ｆ、１ｉ、１ｌ、１ｍは第３の基地局制御装置３ｃによってサービスされる。基地局制御装置３ａ、３ｂ、３ｃは、各位置領域の基地局２ａ、…、２ｍへリンクされる。
【００２６】
基地局制御装置３ａ、３ｂ、３ｃの各々はさらに、移動サービススイッチングセンタ４へもリンクされる。移動サービススイッチングセンタ４は、公衆ネットワークの残りおよび公衆ネットワークが接続されてるネットワーク５へ接続されていて、家庭用位置レジスタ６と通信することができる。移動サービススイッチングセンタ４は、内部でビジタ位置レジスタと統合されている。
【００２７】
第２の、私設の、仮想セルラ移動電話ネットワークの第１ないし第３のセル７ａ、７ｂ、７ｃは公衆ネットワークの第４のセル１ｄ内に位置し、私設ネットワークの第１の位置領域を含む。私設ネットワークの３つの別のセル７ｄ、７ｅ、７ｆは、公衆ネットワークの第１２のセル１Ｉ内に位置し、私設ネットワークの第２の位置領域を含む。
【００２８】
図２を参照すると、私設ネットワークの第１ないし第３のセル７ａ、７ｂ、７ｃはそれぞれ第１ないし第３の基地局８ａ、８ｂ、８ｃによってサービスされる。私設ネットワークの第１ないし第３の基地局８ａ、８ｂ、８ｃは、私設ネットワークの基地局制御装置９へリンクされる。私設ネットワークの基地局制御装置９はさらに、私設ネットワークの移動サービススイッチングセンタ10へリンクされる。移動サービススイッチングセンタ10は、私設ネットワークの残りと、私設ネットワークが接続されている他のネットワーク11とへリンクされる。
【００２９】
ここで、ホームネットワークが私設ネットワークである移動局12への隣り合う基地局データの供給について記載する。
【００３０】
私設ネットワークは私有であるので、一般的に公衆ネットワークからのローミングを許可していない。しかしながら、私設ネットワークは公衆ネットワークのプロバイダによって用意され、私設ネットワークの所有者は公衆ネットワークへ加入し、所有者自身の被使用者によって保持される移動局は私設ネットワークの境界を越えて使用することができる。
【００３１】
先ず、移動局12が私設ネットワークのセル７ｃにおいてアイドル状態である情況について検討する。第３のセル７ｃへ送られる同報通信制御チャンネル信号は、２つの基地局、すなわち同じ私設ネットワークの位置領域内の他の２つの私設ネットワーク基地局８ａ、８ｂについての隣り合う基地局のデータを含む。
【００３２】
移動局12は、同報通信制御チャンネルにおいて特定される、隣り合う基地局のビーコン識別子を監視する。
【００３３】
移動局12がアイドル状態であり、第３の私設ネットワークのセル７ｃから第1の私設ネットワークのセル７ａへ移動するとき、移動局12は先ず、私設ネットワークの第３の基地局８ｃの同報通信制御チャンネルにおいて特定される、隣り合う基地局のビーコン識別子を監視する。移動局12は私設ネットワークの第１のセル７ａへ向かって移動するとき、セルのビーコン８ａについての数値Ｃ１が増加し、私設ネットワークの第３のセル７ｃのビーコン８ｃについての数値Ｃ１は低減する。
【００３４】
Ｃ１は信号品質の測度であり、次のように規定する：
Ｃ１＝Ａ−ＭＡＸ（Ｂ）
なお、Ａ＝（同報通信制御チャンネルにおいて送られる）[受信信号の強度の平均]−[ネットワークへのアクセスに対応する受信信号の強度]；および、
Ｂ＝（同報通信制御チャンネルにおいて送られる）[ランダムアクセスチャンネルにおいて移動局が使用できる最大伝送電力]−[移動局の最大電力の出力]。全ての数字の単位はミリワットデシベル（ｄＢｍ）である。
【００３５】
私設ネットワークの第１の基地局８ａについての数値Ｃ１が、私設ネットワークの第３の基地局８Ｃについての数値を越えるとき、移動局12は私設ネットワークの第１の基地局８ａの同報通信チャンネルの監視にスイッチする。移動局12は依然として私設ネットワークの同じ位置領域内にいるので、移動局12は位置更新を行う必要はない。
【００３６】
移動局12がアイドル状態であり、第1の私設ネットワークのセル７ａから第４の公衆ネットワークのセル１ｄへ移動するとき、移動局12は先ず、私設ネットワークの第1の基地局８ｃの同報通信制御チャンネルにおいて特定される、隣り合う基地局のビーコン識別子を監視する。基地局12は私設ネットワークの第1のセル７ａの縁端部へ向かって移動し、基地局12は私設ネットワークの有効範囲の外を横断することになるとき、第１のセルのビーコンについての数値Ｃ１は、私設ネットワークの第1の基地局８ａを介する通信が不可能な点まで低減することになる。次に移動局12は別のサービスプロバイダの隣り合う基地局の知識をもたず、全てのビーコン識別子をサーチして、私設ネットワークの有効範囲領域を離れるときにキャンプ（camp）する基地局を見付ける。
【００３７】
私設ネットワークサービスプロバイダは、私設ネットワークの第１、第２、および第３の基地局８ａ、８ｂ、８ｃの同報通信チャンネルにおいて公衆ネットワークの第４の基地局２ｄのビーコン識別子を送るようにしてもよい。しかしながらこの結果しばしば移動局には、公衆ネットワークの第４のセル１ｄ内に永久にキャンプすることになってしまう。これは実際には、移動局12はアイドルモードでは公衆ネットワークの無線資源を使用しないので主要な問題にはならないが、後述するように、専用モードに入った直後に私設ネットワークに再びハンドオーバされる。
【００３８】
公衆ネットワークのセル内で早期キャンピングの問題は、移動局12の制御プログラムを変更することによっても回避することができるので、私設ネットワークの全ての基地局が使用できないときは、移動局12は公衆ネットワークの位置更新のみを行うように試行される。別のアプローチでは、Ｃ１を計算するためのＡおよびＢの数値を調整して、私設ネットワークにバイアスをかける。これは、ネットワークへのアクセスに対応する受信信号の強度と、移動局がランダムアクセスチャンネルにおいて使用できる最大伝送電力（transmit power）とについての適切な値を送ることによって達成される。
【００３９】
位置更新を行うことによって、移動局12は先ずランダムアクセスチャンネルにおいてチャンネル要求を送り、次にチャンネル割当てにおけるページングおよびアクセス認可チャンネルを監視する。チャンネルは、公衆ネットワークの第１の基地局制御装置３ａによって割り当てられる。移動局12がチャンネル割当てを受取ると、移動局12は割り当てられたチャンネルにおいて位置更新要求メッセージを送る。位置更新要求メッセージは移動局の加入者の識別子を含む。
【００４０】
位置更新要求は、公衆ネットワークの移動サービススイッチングセンタ４を介して送られる。移動サービススイッチングセンタ４は位置更新要求をホーム位置レジスタ６へ送る。この場合に、ホーム位置レジスタ６は位置更新受領メッセージに応答する。次に公衆ネットワークの移動サービススイッチングセンタ４は、ビジタ位置レジスタのデータベース内に移動局の加入者を入力する。ホーム位置レジスタ６は移動局12の位置のそれ自身のレコードを更新し、公衆ネットワークの移動スイッチングセンタ４の加入者データ挿入メッセージを送る。加入者データ挿入メッセージの追加データはさらに、公衆ネットワークの移動サービススイッチングセンタ4のビジタ位置レジスタ内に記憶される。このデータは、加入者が私設ネットワークの加入者である事実を含む。ホーム位置レジスタ６は移動加入者デレジスタメッセージを私設ネットワークの移動サービススイッチングセンタ10へ送る。次に私設ネットワークの移動サービススイッチングセンタ10はビジタの位置レジスタから移動局の加入者のレコードを削除する。
【００４１】
この点から、移動局12は公衆ネットワークの第４のデータベースの同報通信制御チャンネルを監視する。私設ネットワークへアクセスしない他の加入者はこの基地局を使用するので、送られた隣り合う基地局データは私設ネットワークの基地局のデータを含まない。隣り合う基地局データは公衆ネットワークの第１、第２、第３、第５、第６、および第7の基地局２ａ、２ｂ、２ｃ、２ｅ、２ｆ、２ｇのデータである。
【００４２】
移動局12がアイドル状態で、第４の公衆ネットワークセル１ｄから第１の私設ネットワークセル７ａへ移動するとき、移動局12は私設ネットワークの第１のセル７ａへ再び移動したことを認識していないので、公衆ネットワークの第１、第２、第３、第５、第６、および第7の基地局２ａ、２ｂ、２ｃ、２ｅ、２ｆ、２ｇのビーコン識別子を監視し続ける。
【００４３】
図３を参照すると、移動局12が専用モードであるとき、移動局12は緩慢な関係する制御チャンネルにおいて制御データを受取る。このデータは、複数の隣り合う基地局ビーコン識別子を含む。正規の環境のもとでは、この情報は同報通信制御チャンネルにおいて送られるのと同じ情報である。しかしながら、この場合に、公衆ネットワークの第１の基地局制御装置３ａは移動局の加入者のＩＭＳＩの移動ネットワーク部分を調べ（段階ｓ１）、加入者が私設ネットワークに加入していると判断する（段階ｓ２）。したがって基地局制御装置３ａは隣り合う基地局データを変更して（段階ｓ３）、緩慢な関係する制御チャンネル内で送られ、私設ネットワークの第１ないし第３の基地局８ａ、８ｂ、８ｃのビーコン識別子を付加的に含む。
【００４４】
送信用時間スロットと受信用時間スロットとの間のギャップ中に、移動局12は識別された隣り合う基地局のビーコン識別子の信号強度と現在のトラヒックチャンネルの信号強度を測定する。トラヒックチャンネルの測度と最良の６つの隣り合う基地局の測度とは、移動局12によって緩慢な関係する制御チャンネル内の公衆ネットワークの第１の基地局制御装置３ａへ再び報告される。
【００４５】
図４を参照すると、1組の測度報告が公衆ネットワークの第１の基地局制御装置３ａによって受取られるとき、第１の基地局制御装置３ａは報告が私設ネットワークの基地局と関係しているか否かを判断する（段階ｓ１１）。ノーのときは、第１の基地局制御装置３ａは、正規のハンドオーバプロセスを実行するか否かを判断し（段階ｓ１２）、イエスのときは実行する（段階ｓ１３）。しかしながら報告が私設ネットワークの基地局に関係するとき、第１の基地局制御装置３ａは報告が、私設ネットワークの基地局を使用できることを示しているか否かを判断する（段階ｓ１４）。ノーのときは、残りの報告を解析して、通常のハンドオーバーが必要であるか否かを判断し、イエスのときは、公衆ネットワークの別の基地局へのハンドオーバを正規のやり方で実行する（段階ｓ１３）。
【００４６】
私設ネットワークの基地局の報告がこれらの基地局が移動局12によって使用できることを示すと判断されるとき、第１の基地局制御装置３ａは何れの基地局が最良であるかを判断し（段階ｓ１５）、最良の測度報告をもつ私設ネットワークの基地局へのハンドオーバを開始する。
【００４７】
私設ネットワークの基地局へのハンドオーバ（段階ｓ１６）は次のやり方で実行される。
【００４８】
公衆ネットワークの第１の基地局制御装置３ａは公衆ネットワークの移動サービススイッチングセンタ４へハンドオーバ要求メッセージを送る。ハンドオーバ要求メッセージは、目標の基地局、例えば私設ネットワークの第１の基地局８ａ、および送信元基地局、すなわち公衆ネットワークの第４の基地局２ｄの識別子を含む。公衆ネットワークの移動サービススイッチングセンタ４は、アンカ移動サービススイッチングセンタとして働く公衆ネットワークの別の移動サービススイッチングセンタへ次のハンドオーバ実行メッセージを送る。次にアンカ移動サービススイッチングセンタ４はハンドオーバ実行メッセージをネットワーク５、11を介して私設ネットワークの移動スイッチングセンタ10へ送る。私設ネットワークの移動サービススイッチングセンタ10は、ハンドオーバ実行メッセージ内の情報をハンドオーバ実行メッセージ内の私設ネットワークの基地局制御装置９へ送る。次に私設ネットワークの基地局制御装置９は、私設ネットワーク内の第１の基地局８ａ内のチャンネルを移動局12へ割り当てる。
【００４９】
ハンドオーバに要求される資源が確立されると、私設ネットワークの基地局制御装置９はハンドオーバ命令をアンカ移動サービススイッチングセンタ、公衆ネットワークの移動サービススイッチングセンタ４、および公衆ネットワークの第1の基地局制御装置３ａを介して移動局12へ送る。私設ネットワークの移動サービススイッチングセンタ10は、アンカ移動サービススイッチングセンタによって使用されるハンドオーバ命令にルート設定情報を加え、私設ネットワークの移動サービススイッチングセンタ10を介して現在の呼をルート設定する。
【００５０】
移動局12がハンドオーバ命令を受取ると、移動局12はメッセージから、私設ネットワークの第１の基地局８ａおよびそれに割り当てられたチャンネルについてのビーコン識別子および基地局識別子のコードを知る。非同期するハンドオーバの場合を想定すると、移動局12は割り当てられたチャンネルにおいて私設ネットワークの第１の基地局８ａへハンドオーバアクセスのバーストを送る。移動局12はＳＡＢＭ−ＵＡ交換の後で、ハンドオーバ完了メッセージを送る。ハンドオーバ完了メッセージはアンカ移動サービススイッチングセンタ４を介して公衆ネットワークの移動サービススイッチングセンタへ再び伝搬され、公衆ネットワークの第４の基地局２ｄを介して通信するときに移動局12によって使用される資源の放出（freeing）をトリガする。
【００５１】
ハンドオーバ完了メッセージを受取ると、私設ネットワークの移動サービススイッチングセンタ10はホーム位置レジスタ６へ位置更新要求を送る。この場合は、ホーム位置レジスタ６である。次に私設ネットワークの移動サービススイッチングセンタ10は、ビジタ位置レジスタのデータベース内に移動局の加入者を入力する。ホーム位置レジスタは移動局12の位置のそれ自身のレコードを更新し、加入者データ挿入メッセージを私設ネットワークの移動サービススイッチングセンタ10へ送る。加入者データ挿入メッセージの追加データも、私設ネットワークの移動サービススイッチングセンタ10のビジタ位置レジスタ内に記憶される。ホーム位置レジスタ６は、公衆ネットワークの移動サービススイッチングセンタ４へ移動加入者デレジスタメッセージを送る。次に公衆ネットワークの移動サービススイッチングセンタ４はビジタ位置レジスタから移動局の加入者のレコードを削除する。
【００５２】
したがって、専用モードにあり、しかも公衆ネットワークに登録されている移動局は、私設ネットワークの基地局へ選択的にハンドオーバされることが分かるであろう。これは、移動局が専用モードで私設ネットワークの基地局へ近付いているとき、および移動局が、私設ネットワークの基地局においてアイドルモードから専用モードへ入るときとの両方で適用され、例えば移動可能な終端呼（mobile terminated call）または移動可能な発信呼(mobile originating call)の設定時に応用される。
【００５３】
移動局12が、私設ネットワークとの専用モードに設定されているときに、私設ネットワークの有効範囲の外へ移動すると、緩慢な（スローな）関係する制御チャンネル内において制御データを受取り続ける。隣り合う基地局データが、私設ネットワークの第１ないし第３の基地局８ａ、８ｂ、８ｃおよび公衆ネットワークの第４の基地局２ｄについてのデータを含んでいる。
【００５４】
送信用時間スロットと受信用時間スロットとの間のギャップ中に、移動局12は識別された隣り合う基地局のビーコン識別子についての信号強度およびその現在のトラヒックチャンネルの信号強度を測定する。トラヒックチャンネルの測度と最良の隣り合う基地局の測度とは、最大値６に到達するまで、緩慢な関係する制御チャンネルにおいて移動局12によって私設ネットワークの基地局制御装置９へ再び報告される。
【００５５】
図５を参照すると、1組の測定報告が私設ネットワークの基地局制御装置９に受取られたとき、基地局制御装置９は、報告が私設ネットワークの基地局を使用できることを示しているか否かを判断する（段階ｓ２１）。この基地局を使用できるときは、これらの報告は解析されて、従来のハンドオーバが要求されるか否かを判断し、ハンドオーバが必要であるときは、私設ネットワークの別の基地局へのハンドオーバは正規のやり方で実行される（段階ｓ２２）。
【００５６】
私設ネットワークの基地局についての報告が、私設ネットワークの基地局の何れも移動局12によって使用されないことを示すと判断される（段階ｓ２３）とき、基地局制御装置９は、公衆ネットワークの基地局へのハンドオーバが可能であるか否かを判断し（段階ｓ２４）、最良の測度報告をもつ公衆ネットワークの基地局へのハンドオーバを開始する（段階ｓ２５）。
【００５７】
公衆ネットワークの基地局へのハンドオーバ（段階ｓ２５）は次のやり方で実行される。
【００５８】
私設ネットワークの基地局制御装置９は、私設ネットワークの移動サービススイッチングセンタ10へハンドオーバ要求メッセージを送る。ハンドオーバ要求メッセージは、目標の基地局、例えば、公衆ネットワークの第４の基地局２ｄ、および送信元の基地局、例えば私設ネットワークの第１の基地局８ａの識別子を含む。私設ネットワークの移動スイッチングセンタ10は次のハンドオーバ実行メッセージを、アンカ移動スイッチングセンタとして働く私設ネットワークの別の移動サービススイッチングセンタへ送る。次にアンカ移動サービススイッチングセンタはハンドオーバ実行メッセージをネットワーク５、11を介して公衆ネットワークの移動サービススイッチングセンタ４へ送る。公衆ネットワークの移動サービススイッチングセンタ４は、ハンドオーバ実行メッセージ内の情報を、ハンドオーバ実行メッセージ内の公衆ネットワークの第１の基地局制御装置３ａへ送る。次に公衆ネットワークの第１の基地局制御装置３ａは公衆ネットワークの第４の基地局２ｄ内のチャンネルを移動局12へ割り当てる。
【００５９】
ハンドオーバに必要な資源が設定されると、公衆ネットワークの第１の基地局制御装置３ａはハンドオーバ命令をアンカ移動サービススイッチングセンタ、私設ネットワークの移動サービススイッチングセンタ10、および私設ネットワークの基地局制御装置９を介して移動局12へ送る。公衆ネットワークの移動サービススイッチングセンタ４はルート設定情報をハンドオーバ命令へ加え、アンカ移動サービススイッチングセンタはこれを使用して、現在の呼を公衆ネットワークの移動サービススイッチングセンタ４を介してルート設定する。
【００６０】
移動局12がハンドオーバ命令を受取るとき、移動局はメッセージから私設ネットワークの第４の基地局２ｄおよびそれに割り当てられたチャンネルについてのビーコン識別子および基地局識別子のコードを知る。非同期のハンドオーバの場合を想定すると、移動局12は割り当てられたチャンネルにおいて公衆ネットワークの第４の基地局２ｄへハンドオーバアクセスバーストを送る。移動局12は、ＳＡＢＭ−ＵＡ交換の次に、ハンドオーバ完了メッセージを送る。ハンドオーバ完了メッセージは、アンカ移動サービススイッチングセンタ４を介して私設ネットワークの移動サービススイッチングセンタ10へ再び伝搬され、私設ネットワークの第１の基地局８ａを介して通信するとき、移動局12によって使用される資源の放出をトリガする。
【００６１】
ハンドオーバ完了メッセージを受取ると、公衆ネットワークの移動サービススイッチングセンタ４はホーム位置レジスタ６へ位置更新要求を送る。この場合に、ホーム位置レジスタ６は位置更新受領メッセージで応答する。次に公衆ネットワークの移動サービススイッチングセンタ４はビジタ位置レジスタのデータベース内の移動局の加入者を入力する。ホーム位置レジスタ６は移動局12の位置のそれ自身のレコードを更新し、公衆ネットワークの移動サービススイッチングセンタ４へ加入者データ挿入メッセージを送る。加入者データ挿入メッセージ内の追加のデータはさらに、公衆ネットワークの移動サービススイッチングセンタ４のビジタ位置レジスタ内に記憶される。ホーム位置レジスタ６は、私設ネットワークの移動サービススイッチングセンタ10へ移動加入者デレジスタメッセージを送る。次に私設ネットワークの移動サービススイッチングセンタ10は、そのビジタ位置レジスタから移動局の加入者のレコードを削除する。
【００６２】
したがって、移動局が専用モードに設定されていて、私設ネットワークに登録されているときは、私設ネットワークの基地局が使用できなくなるまで、移動局は公衆ネットワークの基地局上でハンドオーバされない。
【００６３】
上述の例では、ネットワークはホーム位置レジスタを共有する。しかしながら、これは本質的ではない。さらに、加入者と私設ネットワークとの関係は、移動ネットワーク部ではなく加入者のＩＭＳＩの移動加入者の識別部から判断する必要はない。
【図面の簡単な説明】
【図１】  第２のセルラ移動電話ネットワークのセルを取り扱うセルをもつ第１のセルラ移動電話ネットワークを示す図。
【図２】  第２のネットワークを示す図１の第１のネットワークのセルをより詳しく示した図。
【図３】  変更された隣り合う基地局のデータを送るプロセスを示すフローチャート。
【図４】  本発明にしたがってシステムにおける第１のハンドオーバを示すフローチャート。
【図５】  本発明のシステムにおける第２のハンドーオーバを示すフローチャート。
【図１】
0004447787.tif 000002
【図２】
0004447787.tif 000003
【図３】
0004447787.tif 000004
【図４】
0004447787.tif 000005
【図５】
0004447787.tif 000006